(57)【要約】      （修正有）【課題】フィルタユニット内へのフィルタエレメントの取り付けをより簡単、かつ確実に行うことができて、フィルタエレメントの交換作業や点検作業に要する手間を大幅に削減することができるフィルタユニット、並びに該フィルタユニットを構成する本体枠の提供。【解決手段】本体枠１２の開口部１８周囲に複数の取付具２０が開口部側に回動して突出するように軸支され、前記取付具が開口部側に回動するのに伴って該取付具の開口部側に突出する部分の厚みが厚くなるように設けられており、本体枠の開口部を通してフィルタエレメント１３を本体枠内に挿入し、複数の取付具を開口部側に回動させたとき、複数の取付具の突出部分によってフィルタエレメントの下面が支持されると共に、複数の取付具の回動により前記突出部分の厚みが厚くなるのに伴って、フィルタエレメントが前記本体枠の奥行き方向に押し付けられることを特徴とする。【選択図】図３
2009078236.tif 000002
【特許請求の範囲】
【請求項１】
本体枠内にフィルタエレメントが取り付けられてなるフィルタユニットであって、
前記本体枠の開口部周囲に複数の取付具が前記開口部側に回動して突出するように軸支され、かつ前記取付具が開口部側に回動するのに伴って該取付具の開口部側に突出する部分の厚みが厚くなるように設けられており、
前記本体枠の開口部を通してフィルタエレメントを本体枠内に挿入し、前記複数の取付具を開口部側に回動させたとき、該複数の取付具の突出部分によってフィルタエレメントの下面が支持されると共に、該複数の取付具の回動により前記突出部分の厚みが厚くなるのに伴って、前記フィルタエレメントが前記本体枠の奥行き方向に押し付けられることを特徴とするフィルタユニット。
【請求項２】
本体枠の内壁に前記フィルタエレメントの内枠上面が当接する当接部が設けられていることを特徴とする請求項１記載のフィルタユニット。
【請求項３】
本体枠が、押し出し成形による枠片を組み合わせて形成されていることを特徴とする請求項１又は２のいずれかに記載のフィルタユニット。
【請求項４】
複数の取付具が略半円状をなしており、円周方向に次第に厚みが厚くなるように設けられていることを特徴とする請求項１〜３のいずれかに記載のフィルタユニット。
【請求項５】
フィルタユニットの吹き出し口を覆うカバー部材が本体枠に装着されていることを特徴とする請求項１〜４のいずれかに記載のフィルタユニット。
【請求項６】
フィルタエレメントが周囲に内枠を有することを特徴とする請求項１〜５のいずれかに記載のフィルタユニット。
【請求項７】
請求項１〜５のいずれかに記載のフィルタユニットを構成する本体枠。
【発明の詳細な説明】
【技術分野】
【０００１】
本発明は、半導体工場、病院、製薬工場、食品工場など、高い清浄度が要求される部屋の天井や壁などに設置されるフィルタユニット、並びに該フィルタユニットを構成する本体枠に関する。特には、フィルタユニット内へのフィルタエレメントの取り付けをより簡単、かつ確実に行うことができて、フィルタエレメントの交換作業や点検作業に要する手間を大幅に削減することができるフィルタユニット、並びに該フィルタユニットを構成する本体枠に関する。
【背景技術】
【０００２】
半導体工場、病院、製薬工場、食品工場など、高い清浄度が要求される部屋の天井や壁などには、室内に清浄な空気を給気したり、或いは室内の汚染された空気を排出したりするために、高性能エアフィルタエレメントを内蔵するフィルタユニットが設置される。このフィルタユニットにおいては、フィルタエレメントの交換や点検を容易にするために、室内側からフィルタエレメントを該フィルタユニットの本体枠に装着できるようにしたものが提案されている。
【０００３】
例えば図５に示すフィルタユニット１は、該フィルタユニット１内部の中間位置の側壁にＵ字型のフィルタ取付枠３が周設されており、このフィルタ取付枠３にフィルタエレメント２の上側面が当接すると共に、下側面が該フィルタユニット１内の所定位置（例えば４箇所）に固定されているフィルタ締付ボルト４に設けられたフィルタ締付金具５によって支持されることで取付けられるようになっている。フィルタ締付ボルト４は、該フィルタユニット１内の所定位置に金具６によって固定されていて、フィルタ締付金具５との間にはフィルタ締付ナット７が設けられている（特許文献１参照）。
【特許文献１】特開２００７−８５５８７号公報
【発明の開示】
【発明が解決しようとする課題】
【０００４】
ところが、このフィルタユニット１にあっては、フィルタ締付ナット７を回転させることで上端面がフィルタ取付枠３に当接するフィルタエレメント２の下端面を締め付けて該フィルタユニット１内へのフィルタエレメント２の取り付けを行う構造となっているため、締め付け度合いにバラツキが生じないように一定に調整する必要があり、手間のかかる作業であった。
【０００５】
本発明は、このような問題に鑑みなされたものであり、フィルタユニット内へのフィルタエレメントの取り付けをより簡単、かつ確実に行うことができて、フィルタエレメントの交換作業や点検作業に要する手間を大幅に削減することができるフィルタユニット、並びに該フィルタユニットを構成する本体枠を提供することを目的とするものである。
【課題を解決するための手段】
【０００６】
上記目的を達成するため、請求項１記載の発明は、
本体枠内にフィルタエレメントが取り付けられてなるフィルタユニットであって、
前記本体枠の開口部周囲に複数の取付具が前記開口部側に回動して突出するように軸支され、かつ前記取付具が開口部側に回動するのに伴って該取付具の開口部側に突出する部分の厚みが厚くなるように設けられており、
前記本体枠の開口部を通してフィルタエレメントを本体枠内に挿入し、前記複数の取付具を開口部側に回動させたとき、該複数の取付具の突出部分によってフィルタエレメントの下面が支持されると共に、該複数の取付具の回動により前記突出部分の厚みが厚くなるのに伴って、前記フィルタエレメントが前記本体枠の奥行き方向に押し付けられることを特徴とするフィルタユニットをその要旨とした。
【０００７】
請求項２記載の発明は、本体枠の内壁に前記フィルタエレメントの内枠上面が当接する当接部が設けられていることを特徴とする請求項１記載のフィルタユニットをその要旨とした。
【０００８】
請求項３記載の発明は、本体枠が、押し出し成形による枠片を組み合わせて形成されていることを特徴とする請求項１又は２のいずれかに記載のフィルタユニットをその要旨とした。
【０００９】
請求項４記載の発明は、複数の取付具が略半円状をなしており、円周方向に次第に厚みが厚くなるように設けられていることを特徴とする請求項１〜３のいずれかに記載のフィルタユニットをその要旨とした。
【００１０】
請求項５記載の発明は、フィルタユニットの吹き出し口を覆うカバー部材が本体枠に装着されていることを特徴とする請求項１〜４のいずれかに記載のフィルタユニットをその要旨とした。
【００１１】
請求項６記載の発明は、フィルタエレメントが周囲に内枠を有することを特徴とする請求項１〜５のいずれかに記載のフィルタユニットをその要旨とした。
【００１２】
請求項７記載の発明は、請求項１〜５のいずれかに記載のフィルタユニットを構成する本体枠をその要旨とした。
【発明の効果】
【００１３】
本発明のフィルタユニット、並びに該フィルタユニットを構成する本体枠にあっては、フィルタエレメントを本体枠内に挿入した後、前記本体枠の開口部側に軸支された複数の取付具を回動させることで、該複数の取付具の開口部側に突出する部分がフィルタエレメントの下面を支持すると共に、該複数の取付具が回動により前記突出部分の厚みが厚くなるように設けられていることから、この突出部分が前記フィルタエレメントを前記本体枠の奥行き方向に押し付けるようになっている。このため、フィルタユニット内にフィルタエレメントを取り付ける際に、締め付け度合いにバラツキが生じないように一定に調整する必要はなく、フィルタユニット内へのフィルタエレメントの取り付けをより簡単、かつ確実に行うことができて、フィルタエレメントの交換作業や点検作業に要する手間を大幅に削減することができる。
【発明を実施するための最良の形態】
【００１４】
以下、本発明のフィルタユニット、並びに該フィルタユニットを構成する本体枠を図面に示した一実施の形態に従ってさらに詳しく説明する。尚、本体枠は、フィルタユニットの説明の中で説明することとする。本発明は、半導体工場、病院、製薬工場、食品工場など、高い清浄度が要求される部屋の天井や壁などに設置されて、室内に清浄な空気を給気したり、或いは室内の汚染された空気を排出したりするために用いられるフィルタユニットに関するものである。以下は、室内に清浄な空気を給気するために用いられるフィルタユニットを例として詳説する。図１〜図４に示すように、本発明のフィルタユニット１１は、天井裏又は壁裏に配置される本体枠１２内にフィルタエレメント１３が取り付けられてなり、該フィルタエレメント１３の取り付けをより簡単、かつ確実に行うことができる取付構造としたところに最大の特徴がある。
【００１５】
本体枠１２内に取り付けられるフィルタエレメント１３としては特に限定されないが、０．３μｍ以上の粒子の集塵効率が９９．７％以上のＨＥＰＡフィルタや中高性能フィルタを好適に用いることができる。このフィルタエレメント１３の周囲には内枠１４が設けられている。
【００１６】
内枠１４はフィルタエレメント１３周囲に外方に向かって開放するように設けた押し出し成形などによって形成されたＣチャンネル形状体からなる。内枠１４の凹部１４ａには、上下に２個のネジ止め１４ｂが一体成形されており、このネジ止め１４ｂにより、該内枠１４の剛性が高められると共に、内枠１４を所定寸法で切断したとき、切断端同士を連結する場合の「ネジ止め部」としても機能するようになっている。
【００１７】
図１〜図４に示すように、本体枠１２は略箱型をなしており、該枠１２内部に設けた収納部１５に上記フィルタエレメント１３が取り付けられるようになっている。この本体枠１２は板金加工等によって形成することも可能であるが、押し出し成形による枠片を組み合わせて形成することもでき、この場合、寸法精度に優れるため、フィルタエレメント１３の取付時においてシール性がより一層高くなるという利点がある。また本体枠１２の上部にはダンパーやダクト１６を取り付ける空気導入口１７が設けられ、下部には空気吹き出し口となる開口部１８が設けられている。
【００１８】
また、本体枠１２の内側壁にはフィルタエレメント１３を開口部１８を通して本体枠１２内の収納部１５に挿入したとき、該フィルタエレメント１３の内枠１４の上面が当接する当接部１９が設けられている。当接部１９はゴム製などのパッキン材１９ａを含んでおり、フィルタエレメント１３の内枠１４の上面が当接部１９のパッキン材１９ａに当接することで、該パッキン材１９ａが後述する取付具２０による該本体枠１２の奥行き方向への押し付け力を受けて変形し、フィルタエレメント１３を取り付けたとき、該フィルタエレメント１３と本体枠１２とのシール性を高めることができ、かつ均一なシール性を確保すると共に、安定な取付状態を実現することができる。
【００１９】
また、図１〜図４に例示するように、本体枠１２の開口部１８周囲には、取付ボルト２１とナット２２とによって複数の取付具２０が前記開口部１８側に回動して突出するように軸支されている。図２に示す例では、開口部１８周囲の対向する２辺に間隔をおいて２つ、合計４つの取付具２０が軸支されている。
【００２０】
取付具２０は、図４に示すように略半円状をなしており、中央にボルト穴２０ａを有する取付部２０ｂと、前記取付部２０ｂ周りに半円状に設けられ、該取付具２０を回動させたとき、開口部１８側に突出する外側部分２０ｃと、外側部分２０ｃ端部に立設した該取付具２０を摘んで回動させるための摘み２０ｄとを備えている。
【００２１】
外側部分２０ｃは、摘み２０ｄから円周方向に次第に厚みが厚くなるように設けられている。このため、該取付具２０を回動させたとき、外側部分２０ｃの開口部１８側に突出する部分の厚みが厚くなるようになり、本体枠１２の開口部１８を通してフィルタエレメント１３を本体枠１２の収納部１５内に挿入し、前記複数の取付具２０を開口部１８側に回動させたとき、取付具２０の外側部分２０ｃの開口部１８側に突出する部分がフィルタエレメント１３の下面に当たってこれを支持し、同時に該複数の取付具２０の外側部分２０ｃの開口部１８側に突出する部分が前記フィルタエレメント１３を前記本体枠１２の奥行き方向に押し付けるようになっている。この取付具２０の材質としては特に限定されず、例えば金属や樹脂などを用いることができるが、樹脂を用いた取付具２０とした場合には、軽量で耐久性に富み、かつ摩耗による発塵が少ないという利点がある。
【００２２】
また、本体枠１２の開口部１８周囲には、空気吹き出し口を覆うカバー部材２３を装着するための固定孔２４が設けられている。尚、固定孔２４は必要に応じてネジが切られた態様を採ることもできる。カバー部材２３は、穴あきパンチングメタルからなる略台形状をなしており、このカバー部材２３の周囲はフレーム２６が取り付けられ、フレーム２６の先端は天井ボードまたは壁材（図示しない）に接するように配されている。フレーム２６のカバー部材２３との取付部分近傍には孔２７が設けられており、この孔２７を本体枠１２の開口部１８周囲の固定孔２４の位置に合わせ、これらの孔２７及び固定孔２４にボルト２５を通してボルト締めすることでカバー部材２３の本体枠１２への装着がなされるようになっている。
【００２３】
尚、本発明は、上述した例に限定されるものではなく、特許請求の範囲に記載した範囲内で自由に実施することができる。
【図面の簡単な説明】
【００２４】
【図１】本発明のフィルタユニットの全体を示す断面図である。
【図２】同じく背面図である。
【図３】本発明のフィルタユニットの要部拡大断面図である。
【図４】本発明のフィルタユニットにおける取付具を示す拡大斜視図である。
【図５】従来のフィルタユニットを示す断面図である。
【符号の説明】
【００２５】
１２・・・本体枠
１３・・・フィルタエレメント
１４・・・内枠
１８・・・開口部
１９・・・当接部
２０・・・取付具
２０ａ・・・ボルト穴
２０ｂ・・・取付部
２０ｃ・・・外側部分
２０ｄ・・・摘み
２３・・・カバー部材
【図１】
2009078236.tif 000003
【図２】
2009078236.tif 000004
【図３】
2009078236.tif 000005
【図４】
2009078236.tif 000006
【図５】
2009078236.tif 000007